(57)【要約】【課題】接続された機器に応じた使用可能時間を予測できる情報処理装置及び情報処理装置の使用時間管理方法を提供する。【解決手段】情報処理装置は、電力を供給可能な通信Ｉ／Ｆと、接続機器ごとの消費電力を格納する電力テーブルと、実際に接続されている接続機器の種類を格納する接続済テーブルと、定期的に通信Ｉ／Ｆをスキャンして得られる接続済テーブルに格納される接続済の接続機器の組み合わせに基づいて電力テーブルから読み出した消費電力と、前記通信インターフェースをスキャンした時点のバッテリの電圧とに基づいて使用可能時間を予測する制御部と、を備える。【選択図】図７
2013182486.tif 000002
【特許請求の範囲】
【請求項１】
電力を供給可能な通信インターフェースと、
接続機器ごとの消費電力を格納する電力テーブルと、
実際に接続されている接続機器の種類を格納する接続済テーブルと、
前記通信インターフェースをスキャンして得られる前記接続済テーブルに格納される接続済の接続機器の組み合わせに基づいて前記電力テーブルから読み出した消費電力と、前記通信インターフェースをスキャンした時点のバッテリの電圧とに基づいて使用可能時間を予測する制御部と、
を備える情報処理装置。
【請求項２】
前記制御部は、
定期的に前記通信インターフェースとバッテリ電圧とをスキャンし、接続されている前記接続機器の組み合わせに応じて前記電力テーブルから読み出した消費電力を読み出し、前記通信インターフェースをスキャンした時点のバッテリの電圧とに基づいて使用可能時間を予測する請求項１に記載の情報処理装置。
【請求項３】
前記制御部は、
前記使用可能時間が閾値を下回った場合、アラームを表示させる請求項２に記載の情報処理装置。
【請求項４】
制御部が、
電力を供給可能な通信インターフェースをスキャンして得られる接続機器の組み合わせを接続済テーブルに格納し、
前記接続済テーブルに格納される接続済の接続機器の組み合わせに基づいて電力テーブルから消費電力を読み出し、
バッテリの電圧を、前記通信インターフェースをスキャンした時点にスキャンし、
前記消費電力と、前記バッテリの電圧とに基づいて使用可能時間を予測する
情報処理装置の使用時間管理方法。
【請求項５】
前記制御部は、
定期的に前記通信インターフェースとバッテリ電圧とをスキャンし、接続されている前記接続機器の組み合わせに応じて前記電力テーブルから読み出した消費電力を読み出し、前記通信インターフェースをスキャンした時点のバッテリの電圧とに基づいて使用可能時間を予測する請求項４に記載の情報処理装置の使用時間管理方法。
【請求項６】
前記制御部は、
前記使用可能時間が閾値を下回った場合、アラームを表示させる請求項５に記載の情報処理装置の使用時間管理方法。
【発明の詳細な説明】
【技術分野】
【０００１】
本発明の実施形態は、情報処理装置及び情報処理装置の使用時間管理方法に関する。
【背景技術】
【０００２】
従来ＰＯＳ端末（Ｐｏｉｎｔ  Ｏｆ  Ｓａｌｅｓ端末）やＫＩＯＳＫ端末（街頭設置型多機能情報処理装置）などの情報処理装置は、外部電源により駆動していた。
【０００３】
しかし、近年では外部電源が容易に取れない状況において使用したいというニーズが高まってきた。このニーズに応えるため、バッテリ駆動の情報処理装置が開発されるに至った。
【０００４】
これらのバッテリ駆動型の情報処理装置は、現在使用しているバッテリを使い続けた場合、どのくらいの時間使用できるのかをユーザに知らせる必要がある。
【０００５】
この点に関し、情報処理装置の動作モードに対応する消費電力を格納する消費電力テーブルを備え、動作モードに対応する消費電力をこの消費電力テーブルから読みだして現在の消費電力をユーザに通知する技術が提案されている。
【０００６】
しかし、この技術によってはユーザに使用可能時間を予測して通知することはない。
【０００７】
加えて、パワードＵＳＢやパワードＣＯＭなどの電力供給型の通信ポートを使用する接続機器を情報処理装置に接続した場合、消費電力が大きく変化するため使用可能時間の予測が困難であった。
【先行技術文献】
【特許文献】
【０００８】
【特許文献１】特開２００７-４８２１９号公報
【特許文献２】特開２００８-１８２６２６号公報
【発明の概要】
【発明が解決しようとする課題】
【０００９】
従って、接続された機器に応じた使用可能時間を予測できる情報処理装置及び情報処理装置の使用時間管理方法が求められている。
【課題を解決するための手段】
【００１０】
上記の課題を解決するために、本発明の一実施形態は、電力を供給可能な通信インターフェースと、接続機器ごとの消費電力を格納する電力テーブルと、実際に接続されている接続機器の種類を格納する接続済テーブルと、通信インターフェースをスキャンして得られる接続済テーブルに格納される接続済の接続機器の組み合わせに基づいて電力テーブルから読み出した消費電力と、通信インターフェースをスキャンした時点のバッテリの電圧とに基づいて使用可能時間を予測する制御部と、を備える情報処理装置を提供する。
【図面の簡単な説明】
【００１１】
【図１】情報処理装置の外観斜視図である。
【図２】情報処理装置の構成を示すブロック図である。
【図３】通信ポートごとの基準テーブルの構成を示す図である。
【図４】接続機器ごとの基準テーブルの構成を示す図である。
【図５】電力テーブルの構成を示す図である。
【図６】接続済テーブルの構成を示す図である。
【図７】情報処理装置の動作を示すフローチャートである。
【図８】使用可能時間予測の変化を例示するグラフである。
【発明を実施するための形態】
【００１２】
以下、情報処理装置及び情報処理装置の使用時間管理方法の一実施形態について、図面を用いて詳細に説明する。
【００１３】
本実施形態の情報処理装置は、電力を供給可能な通信インターフェースと、接続機器ごとの消費電力を格納する電力テーブルと、実際に接続されている接続機器の種類を格納する接続済テーブルと、通信インターフェースをスキャンして得られる接続済テーブルに格納される接続済の接続機器の組み合わせに基づいて電力テーブルから読み出した消費電力と、通信インターフェースをスキャンした時点のバッテリの電圧とに基づいて使用可能時間を予測する制御部と、を備える。
【００１４】
図１は、本実施形態の情報処理装置１００の外観斜視図である。ここで、情報処理装置１００には、いわゆるＰＯＳ端末（Ｐｏｉｎｔ  ｏｆ  ｓａｌｅｓ端末）やＫＩＯＳＫ端末（街頭設置型多機能情報処理装置）が含まれるものとする。
【００１５】
図１に示すように、情報処理装置１００は、本体部１０１と、表示装置であるタッチパネル２０６と、キーボード２０７と、を備える。
【００１６】
情報処理装置１００がＰＯＳ端末の場合、タッチパネル２０６のほかにディスプレイを有する機種もある。タッチパネル２０６は、着脱が可能である。キーボード２０７も着脱可能である機種もある。
【００１７】
また、情報処理装置１００がＫＩＯＳＫ端末の場合、キーボード２０７を有さない機種もある。
【００１８】
図２は、情報処理装置１００の構成を示すブロック図である。図２に示すように、情報処理装置１００は、制御部であるＣＰＵ２０１と、記憶装置であるメモリ２０２と、補助記憶装置２０３と、通信インターフェース（以下、インターフェースをＩ／Ｆという。）２０４と、バッテリ２１０と、を備える。
【００１９】
メモリ２０２は、ＲＯＭ、ＲＡＭなどを使用することができる。
【００２０】
補助記憶装置２０３は、ハードディスクドライブ、フラッシュメモリなどの不揮発性記憶装置を用いることができる。
【００２１】
補助記憶装置２０３は、接続装置の構成ごとの消費電力を格納する電力テーブル２０３Ａと、接続ポートごと、及び接続機種ごとの消費電力を格納する基準テーブル２０３Ｂと、現在情報処理装置１００に実際に接続されているデバイス名を格納する接続済テーブル２０３Ｃと、を格納する。
【００２２】
通信Ｉ／Ｆ２０４は、電力を接続機器に供給可能な通信ポートであるパワードＣＯＭ２０４Ａ及びパワードＵＳＢ２０４Ｂが含まれる。
【００２３】
通信Ｉ／Ｆには、ユーザの選択によってプリンタ２０５、タッチパネル２０６、キーボード２０７、スキャナ２０８などが接続される。
【００２４】
図３は、通信ポートごとの基準テーブル２０３Ｂの構成を示す図である。図３に示すように、通信ポートごとの基準テーブル２０３Ｂは、通信ポートの名称を示す「通信ポート」と、通信ポートごとの消費電力［Ｗ］を示す「消費電力」と、通信ポートごとの最大の消費電力［Ｗ］を示す「最大消費電力」と、通信ポートごとの通常使用時の電流［ｍＡ］を示す「通常時電流」と、を格納する。
【００２５】
図４は、接続機器ごとの基準テーブル２０３Ｂの構成を示す図である。図４に示すように、接続機器ごとの基準テーブル２０３Ｂは、接続機器の種類を示す「デバイス」と、接続機器の種類ごとの消費電力［Ｗ］を示す「消費電力」と、接続機器の種類ごとの最大の消費電力［Ｗ］を示す「最大消費電力」と、接続機器の種類ごとの通常使用時の電流［ｍＡ］を示す「通常時電流」と、を格納する。
【００２６】
図５は、電力テーブル２０３Ａの構成を示す図である。図５に示すように、電力テーブル２０３Ａは、格納するテーブルごとに固有に割り当てられるＩＤである「テーブル番号」と、接続される機器の種類を示す「デバイス」と、接続機器の種類ごとの消費電力［Ｗ］を示す「消費電力」と、接続機器の種類ごとの最大の消費電力［Ｗ］を示す「最大消費電力」と、接続機器の種類ごとの通常使用時の電流［ｍＡ］を示す「通常時電流」と、を格納する。
【００２７】
図６は、接続済テーブル２０３Ｃの構成を示す図である。図６に示すように、接続済テーブル２０３Ｃは、通信ポートを示す「通信ポート」と、接続されている接続機器を示す「デバイス名」と、を格納する。なお、接続機器が何も接続されていない場合には「デバイス名」には「空き」が格納される。
【００２８】
図７は、情報処理装置１００の動作を示すフローチャートである。図７に示すように、情報処理装置１００は、定期的に通信Ｉ／Ｆをスキャンし、通信Ｉ／Ｆ２０４に実際に接続されている接続機器の種類に対応した消費電力を電力テーブルから読み出し、現在のバッテリ２１０の電圧と読みだした消費電力に基づいて使用可能時間を予測する。
【００２９】
動作７０１において、情報処理装置１００は、定期的に通信Ｉ／Ｆ２０４の各接続ポートをスキャンし、接続されている接続機器の種類、及び名前を判定する。
【００３０】
動作７０２において、情報処理装置１００は判定した接続済みの接続機器を接続済テーブルに格納する。
【００３１】
動作７０３において、情報処理装置１００は接続済みテーブルに格納された接続済の接続機器の種類に基づいて、電力テーブルを検索し、接続済みの接続機器の組み合わせを格納しているテーブルを読みだす。
【００３２】
動作７０４において、情報処理装置１００は接続済みの接続機器の組み合わせを格納しているテーブルが存在するかを判定する。情報処理装置１００は、接続済みの接続機器の組み合わせを格納しているテーブルが存在する場合、動作７０６に進み、存在しない場合、動作７０５に進む。
【００３３】
動作７０５において、情報処理装置１００は、接続済みの接続機器の消費電力、最大消費電力、通常時電流を接続機器ごとの基準テーブル２０３Ｂから読み出す。接続機器が接続機器ごとの基準テーブル２０３Ｂにない場合、使用している通信ポートに対応する通信ポートの消費電力、最大消費電力、通常時電流を通信ポートごとの基準テーブル２０３Ｂから読み出す。
【００３４】
情報処理装置１００は、読み出した接続機器ごと又は通信ポートごとの消費電力、最大消費電力、通常時電流から新たな電力テーブルを生成し、電力テーブル２０３Ａに追加する。
【００３５】
動作７０６において、情報処理装置１００はバッテリ２１０の電圧をスキャンする。
【００３６】
動作７０７において、情報処理装置１００は読み出した消費電力、最大消費電力、通常時電流に基づいて使用可能時間を計算し、タッチパネル２０６に数値により表示する。
【００３７】
なお、情報処理装置１００は使用可能時間が閾値を下回った場合、アラームを表示することもできる。情報処理装置１００は、例えば、数字の色を変化させたり、数字を点滅させたり、使用可能時間が閾値を下回った旨の表示をバルーンにて表示させたり、ランプを点灯させたりすることによって表示することもできる。
【００３８】
情報処理装置１００は、表示装置を１又は２以上有する。表示装置はタッチパネル２０６の他、液晶ディスプレイ（ＬＣＤ）などのディスプレイを用いることもできる。
【００３９】
情報処理装置１００は、表示装置を１つ有する場合はその表示装置に、複数ある場合はその複数の表示装置のうちの少なくとも１つに、使用可能時間が閾値を下回った旨のアラームを表示することができる。情報処理装置１００はこのアラームを全ての表示装置に表示させてもよい。
【００４０】
図８は、使用可能時間予測の変化を例示するグラフである。図８において、グラフ８０２は時間０において接続機器のある組み合わせに基づいて使用可能時間を予測した場合を示す。
【００４１】
従来の機種では、接続機器のある組み合わせを前提に使用可能時間を予測し、その後使用する接続機器の組み合わせが変化しても使用可能時間の予測方法は変わらなかった。
【００４２】
グラフ８０１は、本実施形態の情報処理装置１００による使用可能時間の予測方法を示すものである。
【００４３】
時間ｔ１において実際に接続されている接続機器の組み合わせが変化すると、情報処理装置１００はそれに対応する消費電力を電力テーブル２０３Ａから読み出して、ｔ１時点のバッテリ２１０の電圧とから使用可能時間を予測する。
【００４４】
さらに、時間ｔ２において実際に接続されている接続機器の組み合わせが再度変化すると、情報処理装置１００はそれに対応する消費電力を再度電力テーブル２０３Ａから読み出して、ｔ２時点のバッテリ２１０の電圧とから使用可能時間を予測する。
【００４５】
以上のべたように、本実施形態の情報処理装置１００は、電力を供給可能な通信Ｉ／Ｆ２０４と、接続機器ごとの消費電力を格納する電力テーブル２０３Ａと、実際に接続されている接続機器の種類を格納する接続済テーブル２０３Ｃと、定期的に通信Ｉ／Ｆ２０４をスキャンして得られる接続済テーブル２０３Ｃに格納される接続済の接続機器の組み合わせに基づいて電力テーブル２０３Ａから読み出した消費電力と、前記通信インターフェース２０４をスキャンした時点のバッテリ２１０の電圧とに基づいて使用可能時間を予測する制御部と、を備える。
【００４６】
従って、情報処理装置１００は接続された機器に応じた使用可能時間を予測できるという効果がある。
【００４７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４８】
２０３Ａ：電力テーブル
２０３Ｂ：基準テーブル
２０３Ｃ：接続済みテーブル
２０４：通信Ｉ／Ｆ
２０６：タッチパネル
【図１】
2013182486.tif 000003
【図２】
2013182486.tif 000004
【図３】
2013182486.tif 000005
【図４】
2013182486.tif 000006
【図５】
2013182486.tif 000007
【図６】
2013182486.tif 000008
【図７】
2013182486.tif 000009
【図８】
2013182486.tif 000010